(57)【要約】【課題】ワイヤハーネスの浮き上がりに対処可能な構造を有するプロテクタを提供する。また、ハーネス組み付け方法やハーネス押し込み治具も提供する。【解決手段】ハーネス押し込み治具５１のハーネス押し付け部５７がプロテクタ２１の治具差込貫通孔４０に差し込まれる。ハーネス押し付け部５７が治具差込貫通孔４０に差し込まれると、プロテクタ２１の内部で浮き上がりが生じているワイヤハーネスは、プロテクタ底板部２４に向けて押し付けられる。ワイヤハーネスは、ハーネス押し付け部５７の押し付けによってプロテクタ底板部２４の形状に追従するような状態になる。ハーネス押し込み治具５１のカバーロック部５９がプロテクタカバー２８に当接すると、プロテクタカバー２８は押し込まれてプロテクタ側板部２６に嵌合する。【選択図】図２
2008289206.tif 000002
【特許請求の範囲】
【請求項１】
プロテクタ屈曲部の位置で浮き上がりが生じるワイヤハーネスをプロテクタ底板部に向けて押し付けるハーネス押し付け部を有する治具の、前記ハーネス押し付け部を差し込むための治具差込貫通孔を、対向配置したプロテクタ側板部の上面開口に嵌合するプロテクタカバーに貫通形成してなる、若しくは、前記ハーネス押し付け部を差し込むための治具差込空間を隣り合う二つのプロテクタカバーの間に位置するよう形成してなる
ことを特徴とするプロテクタ。
【請求項２】
プロテクタ屈曲部の位置で浮き上がりが生じるワイヤハーネスを、ハーネス押し付け部を有する治具にてプロテクタ底板部に押し付けつつ、この状態でプロテクタ側板部の上面開口にプロテクタカバーを嵌合させて前記プロテクタ屈曲部の位置に対応する前記上面開口を覆い、この後に前記ハーネス押し付け部を引き抜く
ことを特徴とするプロテクタへのハーネス組み付け方法。
【請求項３】
請求項２に記載のプロテクタへのハーネス組み付け方法において、
前記プロテクタカバーに貫通形成した治具差込貫通孔、若しくは、隣り合う二つの前記プロテクタカバーの間に位置するよう形成した治具差込空間に前記ハーネス押し付け部を差し込んで前記ワイヤハーネスを前記プロテクタ底板部に押し付ける
ことを特徴とするプロテクタへのハーネス組み付け方法。
【請求項４】
プロテクタ屈曲部の位置で浮き上がりが生じるワイヤハーネスをプロテクタ底板部に向けて押し付けるハーネス押し付け部と、プロテクタカバーに形成した治具差込貫通孔に対して前記ハーネス押し付け部を進退させる、若しくは、隣り合う二つの前記プロテクタカバーの間に位置するよう形成した治具差込空間に対して前記ハーネス押し付け部を進退させるレバー構造とを有する
ことを特徴とするハーネス押し込み治具。
【請求項５】
請求項４に記載のハーネス押し込み治具において、
前記ハーネス押し付け部の差し込み量を調節するストッパー部、及び／又は、プロテクタ側板部の上面開口を覆う前記プロテクタカバーを前記プロテクタ側板部に嵌合させるカバーロック部、を更に有する
ことを特徴とするハーネス押し込み治具。
【発明の詳細な説明】
【技術分野】
【０００１】
本発明は、屈曲部を有するプロテクタと、このプロテクタの内部にワイヤハーネスを組み付けるための方法と、ワイヤハーネスを組み付ける際に用いるハーネス押し込み治具とに関する。
【背景技術】
【０００２】
例えば、自動車等の車両には、ワイヤハーネスが所望の経路で配索されている。ワイヤハーネスは、絶縁性を有する合成樹脂製のプロテクタにより部分的に保護された状態で配索されている。プロテクタに関しては、下記特許文献１、２の開示技術が知られている。
【０００３】
下記特許文献１、２に開示されたプロテクタは、ワイヤハーネスを平面的に配索する際に用いるもので、平坦な平板状のプロテクタ底板部と、このプロテクタ底板部の両側部にそれぞれ連成されるプロテクタ側板部と、プロテクタ側板部により形成される上面開口を覆うプロテクタカバーとを有している。
【０００４】
対向する一対のプロテクタ側板部には、内部に収納するワイヤハーネスの電線量が多い場合におけるプロテクタカバーの嵌合作業性を考慮して、電線が上面開口からはみ出さないよう押さえ付けるための電線押さえ部材を挿通するための部分が形成されている。
【０００５】
電線押さえ部材を挿通するための部分に関して、下記特許文献１のプロテクタでは、一対のプロテクタ側板部を次のように形成して対応している。すなわち、プロテクタ底板部に平行な方向に貫通する貫通孔形状に形成して対応している。尚、上記の貫通方向に形成することは、プロテクタ成形金型の型割が複雑になるという問題点を有している。
【０００６】
これに対して下記特許文献２のプロテクタでは、Ｕ字状のスリット形状に形成して対応している。このことから、金型構造が複雑化しないというメリットを有している。しかしながら、スリット形状では電線押さえ部材が容易に抜けてしまうことから、ロック部材を別途設けなければならないという問題点を有している。
【０００７】
対向する一対のプロテクタ側板部に電線押さえ部材を挿通するための部分を形成した従来のプロテクタは、上記の如く何らかの問題点を有しながら今日まで使用されている。
【特許文献１】特開平６−１６９５１３号公報
【特許文献２】特開平７−１２３５６３号公報
【発明の開示】
【発明が解決しようとする課題】
【０００８】
特許文献１、２に開示されたプロテクタは、ワイヤハーネスを平面的に配索する際に用いるものであり、図９に示すような屈曲部１を有してワイヤハーネス２を三次元的に配索するプロテクタ３とは構造的に異なっている。従って、図９中の円内に示す如く屈曲部１によってワイヤハーネス２に浮き上がりが生じても、特許文献１、２の開示技術の適用では有効な対策にならないという問題点を有している。
【０００９】
屈曲部１によってワイヤハーネス２に浮き上がりが生じた場合、言い換えれば、ワイヤハーネス２がプロテクタ３の底板部に追従せずに浮き上がってしまった場合、作業者は手で浮き上がり部分を押さえつつプロテクタカバー（図示省略）を閉じる、というような面倒な作業をしなければならないという問題点を有している。浮き上がり部分を手で完全に押さえ込むことは難しく、誤って浮き上がり部分の電線をプロテクタカバーの嵌合の際に噛み込んでしまうという恐れを有している。
【００１０】
本発明は、上述した事情に鑑みてなされたもので、ワイヤハーネスの浮き上がりに対処可能な構造を有するプロテクタを提供することを課題とする。また、浮き上がりを防止しながらワイヤハーネスをプロテクタへ組み付けることが可能なハーネス組み付け方法を提供することを課題とする。さらに、ワイヤハーネスを組み付ける際に好適となるハーネス押し込み治具を提供することを課題とする。
【課題を解決するための手段】
【００１１】
上記課題を解決するためになされた請求項１記載の本発明のプロテクタは、プロテクタ屈曲部の位置で浮き上がりが生じるワイヤハーネスをプロテクタ底板部に向けて押し付けるハーネス押し付け部を有する治具の、前記ハーネス押し付け部を差し込むための治具差込貫通孔を、対向配置したプロテクタ側板部の上面開口に嵌合するプロテクタカバーに貫通形成してなる、若しくは、前記ハーネス押し付け部を差し込むための治具差込空間を隣り合う二つのプロテクタカバーの間に位置するよう形成してなることを特徴としている。
【００１２】
また、上記課題を解決するためになされた請求項２記載の本発明のプロテクタへのハーネス組み付け方法は、プロテクタ屈曲部の位置で浮き上がりが生じるワイヤハーネスを、ハーネス押し付け部を有する治具にてプロテクタ底板部に押し付けつつ、この状態でプロテクタ側板部の上面開口にプロテクタカバーを嵌合させて前記プロテクタ屈曲部の位置に対応する前記上面開口を覆い、この後に前記ハーネス押し付け部を引き抜くことを特徴としている。
【００１３】
請求項３記載の本発明のプロテクタへのハーネス組み付け方法は、請求項２に記載のプロテクタへのハーネス組み付け方法において、前記プロテクタカバーに貫通形成した治具差込貫通孔、若しくは、隣り合う二つの前記プロテクタカバーの間に位置するよう形成した治具差込空間に前記ハーネス押し付け部を差し込んで前記ワイヤハーネスを前記プロテクタ底板部に押し付けることを特徴としている。
【００１４】
このような特徴を有する本発明によれば、プロテクタカバーに貫通形成した治具差込貫通孔に治具のハーネス押し付け部を差し込み、この差し込んだハーネス押し付け部で浮き上がったワイヤハーネスをプロテクタ底板部に向けて押し付けるようにする。若しくは、隣り合う二つのプロテクタカバーの間に位置するよう形成した治具差込空間にハーネス押し付け部を差し込み、この差し込んだハーネス押し付け部で浮き上がったワイヤハーネスをプロテクタ底板部に向けて押し付けるようにする。これにより容易にプロテクタカバーを嵌合させてワイヤハーネスを収納することが可能になる。プロテクタカバーを嵌合させた後は、ハーネス押し付け部を治具差込貫通孔から引き抜くだけの作業になる。
【００１５】
さらに、上記課題を解決するためになされた請求項４記載の本発明のハーネス押し込み治具は、プロテクタ屈曲部の位置で浮き上がりが生じるワイヤハーネスをプロテクタ底板部に向けて押し付けるハーネス押し付け部と、プロテクタカバーに形成した治具差込貫通孔に対して前記ハーネス押し付け部を進退させる、若しくは、隣り合う二つの前記プロテクタカバーの間に位置するよう形成した治具差込空間に対して前記ハーネス押し付け部を進退させるレバー構造とを有することを特徴としている。
【００１６】
請求項５記載の本発明のハーネス押し込み治具は、請求項４に記載のハーネス押し込み治具において、前記ハーネス押し付け部の差し込み量を調節するストッパー部、及び／又は、プロテクタ側板部の上面開口を覆う前記プロテクタカバーを前記プロテクタ側板部に嵌合させるカバーロック部、を更に有することを特徴としている。
【００１７】
このような特徴を有する本発明によれば、レバー構造を用いて治具を操作することにより、ハーネス押し付け部が治具差込貫通孔に対して、若しくは、治具差込空間に対して進退する。レバー構造を有することで、浮き上がったワイヤハーネスを比較的小さな力でプロテクタ底板部に向けて押し付けることが可能になる。本発明によれば、ハーネス押し付け部の差し込み量がストッパ部で調節され、ワイヤハーネスの押し付け時においては、カバーロック部によってプロテクタカバーの嵌合も同時に行うことが可能になる。
【発明の効果】
【００１８】
請求項１に記載された本発明によれば、ワイヤハーネスの浮き上がりに対処可能な構造を有するプロテクタを提供することができるという効果を奏する。
【００１９】
請求項２に記載された本発明によれば、浮き上がりを防止しながらワイヤハーネスをプロテクタへ組み付けることが可能なハーネス組み付け方法を提供することができるという効果を奏する。
【００２０】
請求項３に記載された本発明によれば、治具差込貫通孔、若しくは、治具差込空間にハーネス押し付け部を差し込むことでワイヤハーネスをプロテクタ底板部に押し付けながら組み付けをすることができるという効果を奏する。
【００２１】
請求項４に記載された本発明によれば、ワイヤハーネスを組み付ける際に好適となるハーネス押し込み治具を提供することができるという効果を奏する。
【００２２】
請求項５に記載された本発明によれば、ハーネス押し付け部の差し込み量を調節したり、ワイヤハーネスの押し付け時にプロテクタカバーを嵌合させたりすることができるという効果を奏する。
【発明を実施するための最良の形態】
【００２３】
以下、図面を参照しながら第一実施形態を説明する。図１は本発明のプロテクタの一実施の形態を示す斜視図である。また、図２は図１のプロテクタを本発明のハーネス押し込み治具にセットした状態を示す斜視図であり、図３はワイヤハーネスをプロテクタに組み付ける最中の状態を示す斜視図である。
【００２４】
図１において、プロテクタ２１は、ワイヤハーネス２２（図３参照。図３ではワイヤハーネスを模式的に示す）を三次元的に配索することができるような形状に形成されている。すなわち、プロテクタ２１は、屈曲部２３（プロテクタ屈曲部）を有するように形成されている。プロテクタ２１は、プロテクタ底板部２４及び一対のプロテクタ側板部２５、２６からなるプロテクタ本体２７と、ヒンジを介して一方のプロテクタ側板部２５に連成され、嵌合部分が他方のプロテクタ側板部２６に嵌合するプロテクタカバー２８、２９とを有している。
【００２５】
プロテクタ２１は、屈曲部２３によって角度θで屈曲するように形成されている。この屈曲部２３によって、プロテクタ２１はワイヤハーネス２２を三次元的に配索することができるようになっている。ここでプロテクタ本体２７に関し、図１の場合、屈曲部２３の左側を第一プロテクタ本体３０、屈曲部２３の右側を第二プロテクタ本体３１と定義して以下説明を続ける。第一プロテクタ本体３０と第二プロテクタ本体３１は、屈曲部２３の位置で角度θで屈曲するように連成されている。
【００２６】
プロテクタ底板部２４は、束ねられたワイヤハーネス２２の収納状態が安定するように断面Ｖ字状の形状に形成されている。プロテクタ底板部２４の端部、言い換えればプロテクタ２１の端部には、テープ巻き部３２がそれぞれ形成されている。プロテクタ底板部２４の両側部には、プロテクタ側板部２５、２６が起立連成されている。
【００２７】
プロテクタ側板部２５、２６は、平行で互いに同じ高さに配置形成されている。プロテクタ側板部２５、２６は、対向するように配置形成されている。プロテクタ側板部２５、２６により形成される上面開口は、プロテクタカバー２８、２９によって覆われるようになっている。上面開口に関し、第一プロテクタ本体３０側を第一上面開口３３、第二プロテクタ本体３１側を第二上面開口３４と定義する。このようなプロテクタ側板部２５、２６の所定位置には、レール３５とクリップ３６と嵌合係止部３７とが形成されている。
【００２８】
プロテクタカバー２８、２９は、プロテクタ本体２７に収納されたワイヤハーネス２２を覆うための部分として形成されている。具体的に、プロテクタカバー２８は、第一プロテクタ本体３０の第一上面開口３３を覆うことができるように配置形成されている。また、プロテクタカバー２９は、第二プロテクタ本体３１の第二上面開口３４を覆うことができるように配置形成されている。プロテクタカバー２８、２９は、これらをプロテクタ本体２７に嵌合させた状態で平面的に見ると、屈曲部２３の位置で隙間が空かないような形状に形成されている（プロテクタ本体２７に嵌合させた状態で平面的に見た場合、隣り合うプロテクタカバー２８、２９同士の間に隙間が生じない。尚、後述の第二実施形態では隙間を生じさせるものとする）。
【００２９】
プロテクタカバー２８、２９には、プロテクタ側板部２６の対応する嵌合係止部３７に引っ掛かって嵌合する嵌合係止突起３８が形成されている。また、プロテクタカバー２８には、分岐線引き出し部３９と治具差込貫通孔４０とが貫通形成されている。さらに、プロテクタカバー２９には、分岐線引き出し部４１が貫通形成されている。分岐線引き出し部３９、４１は、ワイヤハーネス２２の幹線から分岐する分岐線を引き出すために形成されている。
【００３０】
治具差込貫通孔４０は、プロテクタ２１の特徴となる部分であって、屈曲部２３の位置に合わせて配置形成されている。治具差込貫通孔４０は、後述するが、ワイヤハーネス２２の浮き上がりを防止しながらこのワイヤハーネス２２をプロテクタ２１へ組み付けるために使用される部分として形成されている。治具差込貫通孔４０は、後述する治具の形状に合わせて形成されている。
【００３１】
次に、図２及び図３を参照しながら本発明のハーネス押し込み治具について説明する。ハーネス押し込み治具５１は、ベース５２と、第一プロテクタ本体載置部５３と、第二プロテクタ本体載置部５４と、レバー５５と、レバー支持部５６と、ハーネス押し付け部５７と、ストッパー部５８と、カバーロック部５９とを有している。ハーネス押し込み治具５１は、ワイヤハーネス２２の浮き上がりを防止しながらこのワイヤハーネス２２をプロテクタ２１へ組み付けるために使用される治具として上記の構成を有している。
【００３２】
ベース５２には、第一プロテクタ本体載置部５３と第二プロテクタ本体載置部５４とレバー支持部５６とが取り付けられている。これらはプロテクタ２１の屈曲部２３の位置に対応するように取り付けられている。第一プロテクタ本体載置部５３及び第二プロテクタ本体載置部５４には、プロテクタ２１のレール３５及びクリップ３６を避けるためのレール逃がし６０、クリップ逃がし６１が形成されている。
【００３３】
レバー５５は、レバー支持部５６の先端に回動自在に取り付けられている。レバー５５及びレバー支持部５６は、レバー構造を構成している。レバー５５には、ハーネス押し付け部５７とストッパー部５８とカバーロック部５９とが一体に設けられている。ハーネス押し付け部５７は、レバー５５を操作することにより、プロテクタ２１の治具差込貫通孔４０に差し込まれ、そして、プロテクタ２１の内部で浮き上がりが生じたワイヤハーネス２２をプロテクタ底板部２４に向けて押し付けることができるように形成されている。
【００３４】
ストッパー部５８は、ハーネス押し付け部５７の差し込み量を調節、規制するための部分であって、第二プロテクタ本体載置部５４の一部に当接するようになっている。ストッパー部５８が当接すると、レバー５５の操作が規制されるようになっている。カバーロック部５９は、プロテクタカバー２８をプロテクタ側板部２６に嵌合させるための部分として設けられている。具体的に、カバーロック部５９は、ハーネス押し付け部５７によるワイヤハーネス２２の押し付けと同時に、プロテクタカバー２８をプロテクタ側板部２６に嵌合させるために設けられている。尚、ストッパー部５８やカバーロック部５９の設定は任意であるものとする（作業性の面からこれらを設定することは当然に好ましいことが分かる）。
【００３５】
続いて、ハーネス押し込み治具５１を使用してワイヤハーネス２２をプロテクタ２１に組み付ける作業について説明する。説明は図１ないし図３を参照するものとする。
【００３６】
初めにハーネス押し込み治具５１のレバー５５を上げておく（図２参照）。この状態でプロテクタ２１をハーネス押し込み治具５１の第一プロテクタ本体載置部５３及び第二プロテクタ本体載置部５４にセットする作業を行う。この時、プロテクタ２１は、プロテクタカバー２８、２９を開けた状態でハーネス押し込み治具５１にセットされる。プロテクタ２１は、この屈曲部２３が第一プロテクタ本体載置部５３及び第二プロテクタ本体載置部５４の間に位置するようにセットされる。
【００３７】
プロテクタカバー２８、２９を開けた状態でハーネス押し込み治具５１にプロテクタ２１をセットした後は、このプロテクタ２１の内部にワイヤハーネス２２を配索する作業を行う。尚、ワイヤハーネス２２は、多くの電線を束ねてなるものであることから、いくらかの剛性を有しており、プロテクタ底板部２４の形状に追従せずに屈曲部２３の位置で浮き上がるような状態で配索される。
【００３８】
ワイヤハーネス２２の配索の後は、プロテクタカバー２８を第一プロテクタ本体３０の第一上面開口３３を覆うように被せる作業を行う（単に被せるだけで、プロテクタカバー２８をプロテクタ側板部２６に嵌合させるまでの作業は行わない）。プロテクタカバー２８は、図２の仮想線の位置から実線の位置へと移動する。
【００３９】
プロテクタカバー２８を被せた後は、ハーネス押し込み治具５１のレバー５５を操作してこのレバー５５を下方へ回転移動させる作業を行う。この作業により、ハーネス押し込み治具５１のハーネス押し付け部５７がプロテクタ２１の治具差込貫通孔４０に差し込まれる。ハーネス押し付け部５７が治具差込貫通孔４０に差し込まれると、プロテクタ２１の内部で浮き上がりが生じているワイヤハーネス２２は、プロテクタ底板部２４に向けて押し付けられる。ワイヤハーネス２２は、ハーネス押し付け部５７の押し付けによってプロテクタ底板部２４の形状に追従するような状態になる。
【００４０】
ハーネス押し付け部５７は、ハーネス押し込み治具５１のストッパー部５８が第二プロテクタ本体載置部５４の一部に当接するまで治具差込貫通孔４０に差し込まれる（ストッパー部５８を第二プロテクタ本体載置部５４の一部に当接させずにプロテクタ２１の一部に当接させても良いものとする）。
【００４１】
ハーネス押し込み治具５１のレバー５５には、カバーロック部５９も設けられることから、このカバーロック部５９がプロテクタカバー２８に当接すると、プロテクタカバー２８は押し込まれてプロテクタ側板部２６に嵌合する。プロテクタカバー２８は、ハーネス押し付け部５７でワイヤハーネス２２の浮き上がりを押さえ付けられた状態でカバーロック部５９の押し込みにより嵌合する。
【００４２】
プロテクタカバー２８を嵌合させた後は、レバー５５を操作してこのレバー５５を上方へ回転移動させる作業を行う。この作業により、ハーネス押し付け部５７は、プロテクタ２１の治具差込貫通孔４０から引き抜かれる。尚、ワイヤハーネス２２は、ハーネス押し付け部５７の押し付けによって既にプロテクタ底板部２４の形状に追従するような状態になっていることから、また、プロテクタカバー２８によって塞がれていることから、ハーネス押し付け部５７を治具差込貫通孔４０から引き抜いても問題はない。
【００４３】
最後に、第二プロテクタ本体３１の第二上面開口３４を覆うようにプロテクタカバー２９を嵌合させる作業を行う。これにより一連の作業が完了し、ワイヤハーネス２２はプロテクタ２１によって保護された状態になる。
【００４４】
以上、図１ないし図３を参照しながら説明してきたように、本発明によれば、ワイヤハーネス２２の浮き上がりに対処可能な構造を有するプロテクタ２１を提供することができるという効果を奏する。また、浮き上がりを防止しながらワイヤハーネス２２をプロテクタ２１へ組み付けることが可能なハーネス組み付け方法を提供することができるという効果を奏する。さらに、ワイヤハーネス２２を組み付ける際に好適となるハーネス押し込み治具５１を提供することができるという効果を奏する。
【００４５】
図４ないし図７を参照しながら第二実施形態について説明する。図４は本発明のプロテクタの他の一実施の形態を示す斜視図である。また、図５は本発明のハーネス押し込み治具の他の一実施の形態を示す斜視図である。さらに、図６はワイヤハーネスをプロテクタに組み付ける最中の状態を示す斜視図、図７は組み付け最中におけるハーネス押し付け部の状態を示す斜視図である。
【００４６】
尚、上記第一実施形態と基本的に同じ構成には同一の符号を付して説明を省略するものとする。
【００４７】
図４において、プロテクタ７１は、ワイヤハーネス２２（図６参照。図６ではワイヤハーネスを模式的に示す）を三次元的に配索することができるような形状に形成されている。すなわち、プロテクタ７１は、屈曲部２３を有するように形成されている。プロテクタ７１は、プロテクタ底板部２４及び一対のプロテクタ側板部２５、２６からなるプロテクタ本体２７と、ヒンジを介して一方のプロテクタ側板部２５に連成され、嵌合部分が他方のプロテクタ側板部２６に嵌合するプロテクタカバー７２、２９とを有している。
【００４８】
プロテクタ７１は、上記第一実施形態のプロテクタ２１（図１参照）に対してプロテクタカバー７２が異なっている。
【００４９】
プロテクタカバー７２、２９は、プロテクタ本体２７に収納されたワイヤハーネス２２を覆うための部分として形成されている。具体的に、プロテクタカバー７２は、第一プロテクタ本体３０の第一上面開口３３を覆うことができるように配置形成されている。また、プロテクタカバー２９は、第二プロテクタ本体３１の第二上面開口３４を覆うことができるように配置形成されている。
【００５０】
プロテクタカバー７２、２９は、これらをプロテクタ本体２７に嵌合させた状態で平面的に見ると、屈曲部２３の位置で所望の隙間が生じるような形状に形成されている。すなわち、プロテクタ本体２７に嵌合させた状態で平面的に見た場合、隣り合うプロテクタカバー７２、２９同士の間に隙間が生じて、この隙間が本発明の特徴となる治具差込空間７３となるように配置形成されている。
【００５１】
治具差込空間７３は、上記第一実施形態の治具差込貫通孔４０（図１参照）と同じ機能を有している。すなわち、ワイヤハーネス２２の浮き上がりを防止しながらこのワイヤハーネス２２をプロテクタ７１へ組み付けるために使用される部分として形成されている。
【００５２】
プロテクタカバー７２、２９には、プロテクタ側板部２６の対応する嵌合係止部３７に引っ掛かって嵌合する嵌合係止突起３８が形成されている。また、プロテクタカバー７２、２９には、分岐線引き出し部３９、４１が貫通形成されている。
【００５３】
次に、図５を参照しながら本発明のハーネス押し込み治具について説明する。ハーネス押し込み治具８１は、ベース５２と、第一プロテクタ本体載置部５３と、第二プロテクタ本体載置部５４と、レバー５５と、レバー支持部５６と、ハーネス押し付け部８２と、ストッパー部５８とを有している。ハーネス押し込み治具８１は、ワイヤハーネス２２の浮き上がりを防止しながらこのワイヤハーネス２２をプロテクタ７１へ組み付けるために使用される治具として上記の構成を有している。
【００５４】
レバー５５には、ハーネス押し付け部８２とストッパー部５８とが一体に設けられている。ハーネス押し付け部８２は、レバー５５を操作することにより、プロテクタ７１の治具差込空間７３に差し込まれ、そして、プロテクタ７１の内部で浮き上がりが生じたワイヤハーネス２２をプロテクタ底板部２４に向けて押し付けることができるように形成されている。
【００５５】
続いて、ハーネス押し込み治具８１を使用してワイヤハーネス２２をプロテクタ７１に組み付ける作業について説明する。説明は図４ないし図７を参照するものとする。
【００５６】
初めにハーネス押し込み治具８１のレバー５５を上げておく。この状態でプロテクタ７１をハーネス押し込み治具８１の第一プロテクタ本体載置部５３及び第二プロテクタ本体載置部５４にセットする作業を行う。この時、プロテクタ７１は、プロテクタカバー７２、２９を開けた状態でハーネス押し込み治具８１にセットされる。プロテクタ７１は、この屈曲部２３が第一プロテクタ本体載置部５３及び第二プロテクタ本体載置部５４の間に位置するようにセットされる。
【００５７】
プロテクタカバー７２、２９を開けた状態でハーネス押し込み治具８１にプロテクタ７１をセットした後は、このプロテクタ７１の内部にワイヤハーネス２２を配索する作業を行う。尚、ワイヤハーネス２２は、多くの電線を束ねてなるものであることから、いくらかの剛性を有しており、上記第一実施形態での説明と同様、プロテクタ底板部２４の形状に追従せずに屈曲部２３の位置で浮き上がるような状態で配索される。
【００５８】
ワイヤハーネス２２の配索の後は、ハーネス押し込み治具８１のレバー５５を操作してこのレバー５５を下方へ回転移動させる作業を行う。この作業により、ハーネス押し込み治具８１のハーネス押し付け部８２がプロテクタ７１の治具差込空間７３に差し込まれる。ハーネス押し付け部８２が治具差込空間７３に差し込まれると、プロテクタ７１の内部で浮き上がりが生じているワイヤハーネス２２は、プロテクタ底板部２４に向けて押し付けられる。ワイヤハーネス２２は、ハーネス押し付け部８２の押し付けによってプロテクタ底板部２４の形状に追従するような状態になる。
【００５９】
ハーネス押し付け部８２は、ハーネス押し込み治具８１のストッパー部５８が第二プロテクタ本体載置部５４の一部に当接するまで治具差込空間７３に差し込まれる（ストッパー部５８を第二プロテクタ本体載置部５４の一部に当接させずにプロテクタ７１の一部に当接させても良いものとする）。
【００６０】
ハーネス押し付け部８２の押し付けによってワイヤハーネス２２をプロテクタ底板部２４の形状に追従させた後は、第一プロテクタ本体３０の第一上面開口３３を覆うようにプロテクタカバー７２を嵌合させる作業を行う。プロテクタカバー７２は、ハーネス押し付け部８２でワイヤハーネス２２の浮き上がりを押さえ付けられた状態で嵌合する。
【００６１】
プロテクタカバー７２を嵌合させた後は、レバー５５を操作してこのレバー５５を上方へ回転移動させる作業を行う。この作業により、ハーネス押し付け部８２は、プロテクタ２１の治具差込空間７３から引き抜かれる。尚、ワイヤハーネス２２は、ハーネス押し付け部８２の押し付けによって既にプロテクタ底板部２４の形状に追従するような状態になっていることから、また、プロテクタカバー７２によって塞がれていることから、ハーネス押し付け部８２を治具差込空間７３から引き抜いても問題はない。
【００６２】
最後に、第二プロテクタ本体３１の第二上面開口３４を覆うようにプロテクタカバー２９を嵌合させる作業を行う。これにより一連の作業が完了し、ワイヤハーネス２２はプロテクタ７１によって保護された状態になる。
【００６３】
以上、図４ないし図７を参照しながら説明してきたように、本発明によれば、ワイヤハーネス２２の浮き上がりに対処可能な構造を有するプロテクタ７１を提供することができるという効果を奏する。また、浮き上がりを防止しながらワイヤハーネス２２をプロテクタ２１、７１へ組み付けることが可能なハーネス組み付け方法を提供することができるという効果を奏する。さらに、ワイヤハーネス２２を組み付ける際に好適となるハーネス押し込み治具８１を提供することができるという効果を奏する。
【００６４】
図８は上記ハーネス押し込み治具５１、８１を使用せずにワイヤハーネス２２をプロテクタ７１へ組み付けるためのハーネス押し込み治具９１を示している。ハーネス押し込み治具９１は、ワイヤハーネス２２を押し付けるためのハーネス押し付け部９２と、作業者が手で持つ部分となる取っ手９３とを有している。ハーネス押し込み治具９１は、簡易的に使用するための治具となっている。
【００６５】
その他、本発明は本発明の主旨を変えない範囲で種々変更実施可能なことは勿論である。
【図面の簡単な説明】
【００６６】
【図１】本発明のプロテクタの一実施の形態を示す斜視図である。
【図２】図１のプロテクタを本発明のハーネス押し込み治具にセットした状態を示す斜視図である。
【図３】ワイヤハーネスをプロテクタに組み付ける最中の状態を示す斜視図である。
【図４】本発明のプロテクタの他の一実施の形態を示す斜視図である。
【図５】本発明のハーネス押し込み治具の他の一実施の形態を示す斜視図である。
【図６】ワイヤハーネスをプロテクタに組み付ける最中の状態を示す斜視図である。
【図７】組み付け最中におけるハーネス押し付け部の状態を示す斜視図である。
【図８】ハーネス押し込み治具の更に他の一実施の形態を示す斜視図である。
【図９】ワイヤハーネスを三次元的に配索することが可能なプロテクタの斜視図である。
【符号の説明】
【００６７】
２１  プロテクタ
２２  ワイヤハーネス
２３  屈曲部（プロテクタ屈曲部）
２４  プロテクタ底板部
２５、２６  プロテクタ側板部
２７  プロテクタ本体
２８、２９  プロテクタカバー
３０  第一プロテクタ本体
３１  第二プロテクタ本体
３２  テープ巻き部
３３  第一上面開口
３４  第二上面開口
３５  レール
３６  クリップ
３７  嵌合係止部
３８  嵌合係止突起
３９、４１  分岐線引き出し部
４０  治具差込貫通孔
５１  ハーネス押し込み治具
５２  ベース
５３  第一プロテクタ本体載置部
５４  第二プロテクタ本体載置部
５５  レバー（レバー構造）
５６  レバー支持部（レバー構造）
５７  ハーネス押し付け部
５８  ストッパー部
５９  カバーロック部
６０  レール逃がし
６１  クリップ逃がし
７１  プロテクタ
７２  プロテクタカバー
７３  治具差込空間
８１  ハーネス押し込み治具
８２  ハーネス押し付け部
９１  ハーネス押し込み治具
９２  ハーネス押し付け部
９３  取っ手
【図１】
2008289206.tif 000003
【図２】
2008289206.tif 000004
【図３】
2008289206.tif 000005
【図４】
2008289206.tif 000006
【図５】
2008289206.tif 000007
【図６】
2008289206.tif 000008
【図７】
2008289206.tif 000009
【図８】
2008289206.tif 000010
【図９】
2008289206.tif 000011